(57)【要約】【課題】  エッチング液の劣化などによるパターン線の線幅の仕上がりのばらつきを調整して、パターンを形成することで精度の高い仕上がりにする。【解決手段】  加工用パターンデータ１００により指定されたパターン線の線幅と露光量を用いて、基板上の銅箔上に塗布されたレジストに直接描画して露光し、露光されたレジストを現像してレジストパターンを形成して、レジストパターンが形成された基板上の銅箔をエッチングしてパターンを形成する。このとき、エッチング後の形成パターンをスキャンして画像情報２００を得て、画像情報２００のパターン線の線幅とエッチング後の目標である目標形成パターンのパターン線の線幅とを比較し、この比較結果に基づいて加工用パターンデータ１００により指定されたパターン線の線幅を調整して、調整された線幅を用いてレジストを直接描画する。【選択図】          図１
2005099739.tif 000002
【特許請求の範囲】
【請求項１】
目標形成パターンを形成するための加工用パターンデータに基づき、基板に付着させた被エッチング材上のレジストに、所定の露光量で直接描画露光する露光部と、
露光された前記レジストを現像してレジストパターンを形成する現像部と、
前記被エッチング材をエッチングして形成パターンを形成するエッチング部と、
前記レジストパターンの形状と目標レジストパターンの形状との差異、前記形成パターンの形状と前記目標形成パターンの形状との差異、前記差異の要因となる成分のうちのいずれか又はいずれかの組み合わせに基づいて、前記加工用パターンデータ及び／又は前記所定の露光量を補正する補正部とを備えたことを特徴とするパターン製造システム。
【請求項２】
前記補正部が、エッチング後の前記形成パターンをスキャンして画像情報を得る画像認識手段と、
前記画像情報のパターン線の線幅と前記目標形成パターンのパターン線の線幅とを比較する線幅比較手段と、
該線幅比較手段による比較結果に基づいて、前記所定の露光量および前記加工用パターンデータにより指定されたパターン線の線幅のうち少なくとも一方を調整する調整手段とを有することを特徴とする請求項１記載のパターン製造システム。
【請求項３】
前記補正部が、現像後の前記レジストパターンをスキャンして画像情報を得る画像認識手段と、
前記画像情報のパターン線の線幅と目標レジストパターンのパターン線の線幅とを比較する線幅比較手段と、
該線幅比較手段による比較結果に基づいて、前記所定の露光量および前記加工用パターンデータにより指定されたパターン線の線幅のうち少なくとも一方を調整する調整手段とを有することを特徴とする請求項１記載のパターン製造システム。
【請求項４】
前記調整手段が、前記加工用パターンデータにより指定されたパターン線の線幅を補正する補正量と比較結果との関係を予め記憶し、該関係に基づいて前記線幅比較手段により得られた比較結果に対応する補正量を求め、該補正量を用いて前記加工用パターンデータにより指定されたパターン線の線幅を調整するものであることを特徴とする請求項２又は３記載のパターン製造システム。
【請求項５】
前記線幅比較手段が、前記目標形成パターンを複数の区分に分けた各区分毎に比較結果を得るものであり、
前記調整手段が、前記加工用パターンデータにより指定されたパターン線の線幅を調整する補正量と比較結果との関係を前記区分毎に予め記憶し、該関係に基づいて前記線幅比較手段により得られた各区分毎の比較結果に対応する該各区分毎の補正量を求め、該補正量を用いて前記加工用パターンデータで指定されたパターン線の線幅を各区分毎に調整するものであることを特徴とする請求項２又は３記載のパターン製造システム。
【請求項６】
前記調整手段が、前記所定の露光量を補正する補正量と比較結果との関係を予め記憶し、該関係に基づいて前記線幅比較手段により得られた比較結果に対応する補正量を求め、該補正量を用いて前記所定の露光量を調整するものであることを特徴とする請求項２又は３記載のパターン製造システム。
【請求項７】
前記補正部が、前記現像部で用いる現像液の劣化を検出する劣化検出手段と、
該劣化検出手段による検出結果に基づいて、前記所定の露光量および前記加工用パターンデータにより指定されたパターン線の線幅のうち少なくとも一方を調整する調整手段とを有することを特徴とする請求項１記載のパターン製造システム。
【請求項８】
前記劣化検出手段が、前記現像部で用いる現像液に溶解したレジスト溶解量を測定する測定手段を有し、該測定手段の測定結果に基づいて現像液の劣化を検出するものであることを特徴とする請求項７記載のパターン製造システム。
【請求項９】
前記劣化検出手段が、前記現像部で現像処理した基板の処理面積に基づいて現像液の劣化を検出するものであることを特徴とする請求項７記載のパターン製造システム。
【請求項１０】
前記劣化検出手段が、前記現像部で用いる現像液のＰＨ値を測定する測定手段を有し、該測定手段の測定結果に基づいて現像液の劣化を検出するものであることを特徴とする請求項７記載のパターン製造システム。
【請求項１１】
前記調整手段が、前記現像部で用いられる現像液の劣化とパターン線の線幅を補正する補正量との関係を予め記憶し、該関係に基づいて前記劣化検出手段が検出した検出結果に応じた劣化に対応した補正量を求め、該補正量を用いて前記加工用パターンデータにより指定されたパターン線の線幅を調整するものであることを特徴とする請求項７から１０いずれか記載のパターン製造システム。
【請求項１２】
前記調整手段が、前記現像部で用いられる現像液の劣化とパターン線の線幅を補正する補正量との関係を、前記基板を複数の区分に分けた各区分毎に予め記憶し、該関係に基づいて前記劣化検出手段が検出した検出結果に応じた劣化に対応する該各区分毎の補正量を求め、該補正量を用いて前記加工用パターンデータにより指定されたパターン線の線幅を各区分毎に調整するものであることを特徴とする請求項７から１０いずれか記載のパターン製造システム。
【請求項１３】
前記調整手段が、前記現像部で用いられる現像液の劣化と前記所定の露光量を補正する補正量との関係を予め記憶し、該関係に基づいて前記劣化検出手段が検出した検出結果に応じた劣化に対応した補正量を求め、該補正量を用いて前記所定の露光量を調整するものであることを特徴とする請求項７から１０いずれか記載のパターン製造システム。
【請求項１４】
前記補正部が、前記エッチング部で用いるエッチング液の劣化を検出する劣化検出手段と、
該劣化検出手段による検出結果に基づいて、前記所定の露光量および前記加工用パターンデータにより指定されたパターン線の線幅のうち少なくとも一方を調整する調整手段とを有することを特徴とする請求項１記載のパターン製造システム。
【請求項１５】
前記劣化検出手段が、前記エッチング部で用いるエッチング液のＰＨ値を測定する測定手段を有し、該測定手段の測定結果に基づいてエッチング液の劣化を検出するものであることを特徴とする請求項１４記載のパターン製造システム。
【請求項１６】
前記調整手段が、前記エッチング部で用いられるエッチング液の劣化とパターン線の線幅を補正する補正量との関係を予め記憶し、該関係に基づいて前記劣化検出手段が検出した検出結果に応じた劣化に対応した補正量を求め、該補正量を用いて前記加工用パターンデータにより指定されたパターン線の線幅を調整するものであることを特徴とする請求項１４又は１５記載のパターン製造システム。
【請求項１７】
前記調整手段が、前記エッチング部で用いられるエッチング液の劣化とパターン線の線幅を補正する補正量との関係を前記基板を複数の区分に分けた各区分毎に予め記憶し、該関係に基づいて前記劣化検出手段が検出した検出結果に応じた劣化に対応する該各区分毎の補正量を求め、該補正量を用いて前記加工用パターンデータにより指定されたパターン線の線幅を各区分毎に調整するものであることを特徴とする請求項１４又は１５記載のパターン製造システム。
【請求項１８】
前記調整手段が、前記エッチング部で用いられるエッチング液の劣化と前記所定の露光量を補正する補正量との関係を予め記憶し、該関係に基づいて前記劣化検出手段が検出した検出結果に応じた劣化に対応した補正量を求め、該補正量を用いて前記所定の露光量を調整するものであることを特徴とする請求項１４又は１５記載のパターン製造システム。
【請求項１９】
現像及びエッチングを経て目標形成パターンを形成するための加工用パターンデータに基づき、基板に付着させた被エッチング材上のレジストに、所定の露光量で直接描画露光する露光部と、
現像後のレジストパターンの形状と目標レジストパターンの形状との差異、エッチング後の形成パターンの形状と前記目標形成パターンの形状との差異、前記差異の要因となる成分のうち少なくとも１つを含む差異情報を取得する差異情報取得部と、
該差異情報に基づいて前記加工用パターンデータ及び／又は前記所定の露光量を補正する補正部とを備えたことを特徴とする露光装置。
【請求項２０】
前記差異情報取得部が、前記レジストパターンの画像情報と前記目標レジストパターンの形状との比較及び／又は前記形成パターンの画像情報と前記目標形成パターンの形状との比較によって前記差異情報を取得するものであることを特徴とする請求項１９記載の露光装置。
【請求項２１】
前記差異情報取得部が、前記画像情報を取得するユニットを有することを特徴とする請求項２０記載の露光装置。
【請求項２２】
前記差異情報取得部が、前記現像液及び／又は前記エッチング液の状態に基づいて前記差異情報を取得するものであることを特徴とする請求項１９記載の露光装置。
【請求項２３】
前記差異情報取得部が、現像液及び／又はエッチング液の状態を検出するユニットを有することを特徴とする請求項２２記載の露光装置。
【請求項２４】
前記差異情報取得部が、同じ現像液を用いて現像を行った回数及び／又は同じエッチング液を用いてエッチングを行った回数に基づいて検出するユニットを有することを特徴とする請求項２２記載の露光装置。
【請求項２５】
前記差異情報取得部が、同じ現像液を用いて現像を行った回数及び／又は同じエッチング液を用いてエッチングを行った回数に基づいて前記差異情報を取得するものであることを特徴とする請求項１９記載の露光装置。
【請求項２６】
前記差異情報取得部が、同じ現像液を用いて現像を行った回数及び／又は同じエッチング液を用いてエッチングを行った回数と、前記基板のサイズとに基づいて検出するものであることを特徴とする請求項１９記載の露光装置。
【請求項２７】
前記差異情報取得部が、同じ現像液を用いて現像を行った回数及び／又は同じエッチング液を用いてエッチングを行った回数と、前記基板面上の前記現像及び／又は前記エッチングを施す面積とに基づいて検出するものであることを特徴とする請求項１９記載の露光装置。
【請求項２８】
前記差異情報取得部が、前記現像液を用いて現像を行った回数及び／又は同じエッチング液を用いてエッチングを行った回数を、前記露光の回数に基づいて求めるユニットを有することを特徴とする請求項２５〜２７記載の露光装置。
【請求項２９】
前記差異情報取得部が、前記露光の回数に基づいて前記差異情報を取得するものであることを特徴とする請求項１９記載の露光装置。
【請求項３０】
前記差異情報取得部が、前記レジストパターンの画像情報と前記目標レジストパターンの形状との比較及び／又は前記形成パターンの画像情報と前記目標形成パターンの形状との比較によって前記差異情報を取得する第１の取得ユニットと、
前記露光回数に基づいて前記差異情報を取得する第２の取得ユニットとを有し、
前記第１の取得ユニットと第２の取得ユニットとを切り替える切替ユニットをさらに備えることを特徴とする請求項１９記載の露光装置。
【請求項３１】
前記切替ユニットが、第１の取得ユニットによる前記差異情報の取得と第２の取得ユニットによる前記差異情報の取得とを所定回数行う度に切替えるものであることを特徴とする請求項３０記載の露光装置。
【請求項３２】
前記補正部が、前記基板面に沿って分割された分割領域毎に前記補正を行うものであることを特徴とする請求項１９記載の露光装置。
【請求項３３】
前記差異情報取得部が、前記基板面の一部に対して前記差異情報の取得を行うものであることを特徴とする請求項１９記載の露光装置。
【請求項３４】
現像及びエッチングを経て目標形成パターンを形成するための加工用パターンデータに基づき、基板に付着させた被エッチング材上のレジストに、所定の露光量で直接描画露光を行う方法であって、
前記レジストパターンの形状と目標レジストパターンの形状との差異、前記形成パターンの形状と前記目標形成パターンの形状との差異、前記差異の要因となる成分のうちの少なくとも１つを含む差異情報を取得し、
該差異情報に基づいて前記加工用パターンデータ及び／又は前記所定の露光量を補正することを特徴とする露光方法。
【請求項３５】
前記レジストパターンの画像情報と前記目標レジストパターンの形状との比較及び／又は前記形成パターンの画像情報と前記目標形成パターンの形状との比較によって前記差異情報を取得することを特徴とする請求項３４記載の露光方法。
【請求項３６】
前記現像液及び／又は前記エッチング液の状態に基づいて前記差異情報を取得することを特徴とする請求項３４記載の露光方法。
【請求項３７】
同じ現像液を用いて現像を行った回数及び／又は同じエッチング液を用いてエッチングを行った回数に基づいて前記差異情報を取得することを特徴とする請求項３４記載の露光方法。
【請求項３８】
前記露光の回数に基づいて前記差異情報を取得することを特徴とする請求項３４記載の露光方法。
【発明の詳細な説明】
【技術分野】
【０００１】
本発明は、プリント基板の回路パターン等を製造する際に発生する現像液やエッチング液の劣化等による仕上がりのばらつきを抑制するパターン製造システムに関するものである。
【背景技術】
【０００２】
例えば、プリント基板の回路パターンを製造する場合、従来は、フォトマスクを作成し、このフォトマスクを利用して基板上のレジストを露光し硬化させた後、該レジストを現像してレジストパターンを形成し、このレジストパターンを利用して基板上の銅箔をエッチングすることにより回路パターンを形成する方法がとられている。上記従来の方法においては、エッチングを行う際、レジストパターン線の密度に依存して基板上の銅箔がエッチングされる量が変わり、仕上がる回路パターン線の線幅にばらつきが発生するという問題があった。そこで、形成しようとしている回路パターン線の密度に基づいて予め入力データの補正を行いフォトマスクのパターン線の調整を行うようにしたものがある（例えば、特許文献１）。
【０００３】
また、レジストパターンの線幅が所定の線幅以下だとオーバーエッチングが発生することから、このオーバーエッチングが発生するレジストパターンのパターン線の線幅を予め測定しておき、所定の線幅以下のレジストパターンのパターン線の線幅を太らせるように補正ラインを付加するものもある（例えば、特許文献２）。
【０００４】
あるいは、エッチング液を繰り返し使用することによってエッチング液が劣化し、エッチングされた回路パターンの線幅が違ってくるというような仕上がりのばらつきを防ぐために、基板の空き領域（配線部分以外の領域）にテストパターンを埋め込み、エッチング後にそのテストパターンを画像認識してエッチングされた量の変化を確認して、それに応じて新たなエッチグ液の供給やシャワー圧を変化させるように制御するものもある（例えば、特許文献３）。
【特許文献１】特開平６−１８６７２４号公報
【特許文献２】特開２００１−１３４６２７公報
【特許文献３】特開平９−１６２５２２号公報
【発明の開示】
【発明が解決しようとする課題】
【０００５】
しかしながら、前述の特許文献１や特許文献２の方法では、入力データの線幅を補正して仕上がった回路パターン線の線幅を指定された線幅に近づけようとするものではあるが、繰り返し加工を行うことにより現像液やエッチング液が徐々に劣化し、この劣化に伴って発生する仕上がりのばらつきを抑制することはできない。また、このようなフォトマスクを作成する方法でエッチング液の劣化などによる仕上がりのばらつきを抑制するためには、何度もフォトマスクを作成し直す必要があり生産コストが高くついてしまう。
【０００６】
一方、特許文献３では、パターン線がエッチングされた量の変化を確認して、新たなエッチグ液の供給やシャワー圧を変化させることで仕上がりが一定になるようにエッチングの進行を制御しようとしているが、このような新たなエッチング液の供給やシャワー圧の変化による制御では応答性が安定せず仕上がりのばらつきが残ってしまうという問題がある。
【０００７】
また、近年回路パターンの複雑化、高精細化に伴い、より精度の高い仕上がりが求められ、このようなエッチング液の劣化などによって生じる仕上がりのばらつきも無視できないものとなってきている。
【０００８】
本発明は、上記事情に鑑み、生産コストが高くならず、現像液やエッチング液の劣化などに影響されて仕上がりがばらつくということがなく、仕上がり精度の高いパターン製造システムを提供することを目的とする。
【課題を解決するための手段】
【０００９】
本発明のパターン製造システムは、目標形成パターンを形成するための加工用パターンデータに基づき、基板に付着させた被エッチング材上のレジストに、所定の露光量で直接描画露光する露光部と、
露光された前記レジストを現像してレジストパターンを形成する現像部と、
前記被エッチング材をエッチングして形成パターンを形成するエッチング部と、
前記レジストパターンの形状と目標レジストパターンの形状との差異、前記形成パターンの形状と前記目標形成パターンの形状との差異、前記差異の要因となる成分のうちのいずれか又はいずれかの組み合わせに基づいて、前記加工用パターンデータ及び／又は前記所定の露光量を補正する補正部とを備えたことを特徴とするものである。
【００１０】
ここで、「加工用パターン」、「レジストパターン」、「形成パターン」、「目標形成パターン」は、パターン線の座標値と線幅であらわされるものである。
【００１１】
また、「目標形成パターン」とは、形成しようとしている形成パターン、そのときのパターン線の座標値と線幅であらわされるものである。また、「目標レジストパターン」とは、形成しようとしているレジストパターンであり、そのときのパターン線の座標値と線幅で表されるものである。
【００１２】
「被エッチング材」とは、基板上に付着された銅箔のように、エッチング液によりエッチングされるものをいう。
【００１３】
また、前記補正部は、エッチング後の前記形成パターンをスキャンして画像情報を得る画像認識手段と、
前記画像情報のパターン線の線幅と前記目標形成パターンのパターン線の線幅とを比較する線幅比較手段と、
該線幅比較手段による比較結果に基づいて、前記所定の露光量および前記加工用パターンデータにより指定されたパターン線の線幅のうち少なくとも一方を調整する調整手段とを有したものでもよい。
【００１４】
あるいは、前記補正部は、現像後の前記レジストパターンをスキャンして画像情報を得る画像認識手段と、
前記画像情報のパターン線の線幅と目標レジストパターンのパターン線の線幅とを比較する線幅比較手段と、
該線幅比較手段による比較結果に基づいて、前記所定の露光量および前記加工用パターンデータにより指定されたパターン線の線幅のうち少なくとも一方を調整する調整手段とを有するものでもよい。
【００１５】
「加工用パターンデータにより指定されたパターン線の線幅の調整」は、補正量を求めて加工用パターンデータの線幅をこの補正量を加えた線幅に直接書き換えるものでもよいが、加工用パターンデータは直接書き換えないで、求めた補正量と加工用パターンデータにより指定された線幅とを加算して調整済線幅を別途取得するものでもよい。
【００１６】
「画像情報のパターン線の線幅と目標形成パターンのパターン線の線幅との比較」は、画像情報のパターン線の線幅と目標形成パターンのパターン線の線幅との違いを見ることが出来るものであればどのようなものでもよく、例えば、対応するパターン線の線幅を比較するものであっても、パターン線の面積を求めて面積を比較するものであってもよい。また、比較は差分を求めて比較するものでも、比率を求めて比較するものであってもよい。
【００１７】
また、前記調整手段は、前記加工用パターンデータにより指定されたパターン線の線幅を補正する補正量と比較結果との関係を予め記憶し、該関係に基づいて前記線幅比較手段により得られた比較結果に対応する補正量を求め、該補正量を用いて前記加工用パターンデータにより指定されたパターン線の線幅を調整するものであってもよい。
【００１８】
「比較結果」とは、エッチングして得られた形成パターンの線幅と目標とする目標形成パターンの線幅とを比較した結果、あるいは、現像して得られたレジストパターンの線幅と目標とする目標レジストパターンの線幅とを比較した結果であり、「補正量」とは、エッチング後の形成パターンの線幅を目標形成パターンの線幅にするために加工用パターンデータのパターン線の線幅を補正する量、あるいは、現像後のレジストパターンの線幅を目標レジストパターンの線幅にするために加工用パターンデータのパターン線の線幅を補正する量であり、「補正量と比較結果との関係」は、実際にエッチング後の形成パターン線の線幅、あるいは、現像後のレジストパターンのパターン線の線幅を計測して実験的に求めたものを使用することができる。例えば、線幅の異なるパターン線を含むテスト用パターンを用いてエッチングや現像を行い、その結果得られたパターンの線幅を計測することにより求めた関係を使用することができる。
【００１９】
製造装置には、加工条件が同一となるようにして加工を行っても場所によって形成された結果が違ってくるというように、それぞれ装置毎に特有のローカリティが現れる。
【００２０】
そこで、前記線幅比較手段は、前記目標形成パターンを複数の区分に分けた各区分毎に比較結果を得るようにして、
前記調整手段が、前記加工用パターンデータにより指定されたパターン線の線幅を調整する補正量と比較結果との関係を前記区分毎に予め記憶し、該関係に基づいて前記線幅比較手段により得られた各区分毎の比較結果に対応する該各区分毎の補正量を求め、該補正量を用いて前記加工用パターンデータで指定されたパターン線の線幅を各区分毎に調整するものが望ましい。
【００２１】
あるいは、前記調整手段は、前記所定の露光量を補正する補正量と比較結果との関係を予め記憶し、該関係に基づいて前記線幅比較手段により得られた比較結果に対応する補正量を求め、該補正量を用いて前記所定の露光量を調整するものであってもよい。
【００２２】
「補正量と比較結果との関係」は、実際にエッチング後の形成パターン線の線幅、あるいは、現像後のレジストパターンのパターン線の線幅を計測して実験的に求めたものを使用することができる。例えば、線幅の異なるパターン線を含むテスト用パターンを用いてエッチングや現像を行い、その結果得られパターンの線幅を計測することにより求めた関係を使用することができる。
【００２３】
また、前記補正部は、前記現像部で用いる現像液の劣化を検出する劣化検出手段と、
該劣化検出手段による検出結果に基づいて、前記所定の露光量および前記加工用パターンデータにより指定されたパターン線の線幅のうち少なくとも一方を調整する調整手段とを有するものであってもよい。
【００２４】
前記劣化検出手段は、前記現像部で用いる現像液に溶解したレジスト溶解量を測定する測定手段を有し、該測定手段の測定結果に基づいて現像液の劣化を検出するものでもよい。
【００２５】
「レジスト溶解量」は、例えば、中和滴定法等を用いて現像液に溶解しているレジストの量を求めることができる。
【００２６】
前記劣化検出手段は、前記現像部で現像処理した基板の処理面積に基づいて現像液の劣化を検出するものであってもよい。
【００２７】
「処理面積」とは、現像液で基板上のレジストを溶解した部分の面積の累積であり、レジストを溶解した部分の面積は、例えば、露光装置でレジストに描画した面積から求めることができる。あるいは、現像装置で現像処理した基板の枚数からレジストを溶解した部分の面積を近似的に求めることもできる。
【００２８】
前記劣化検出手段は、前記現像部で用いる現像液のＰＨ値を測定する測定手段を有し、該測定手段の測定結果に基づいて現像液の劣化を検出するものであってもよい。
【００２９】
前記調整手段は、前記現像部で用いられる現像液の劣化とパターン線の線幅を補正する補正量との関係を予め記憶し、該関係に基づいて前記劣化検出手段が検出した検出結果に応じた劣化に対応した補正量を求め、該補正量を用いて前記加工用パターンデータにより指定されたパターン線の線幅を調整するものでもよい。
【００３０】
「補正量」とは、現像後のレジストパターンの線幅が所望の線幅に仕上がるように加工用パターンデータのパターン線の線幅を補正する量であり、「補正量と検出結果との関係」は、実際に現像後のレジストパターンのパターン線の線幅を計測して実験的に求めたものを使用することができる。例えば、線幅の異なるパターン線を含むテスト用パターンを用いて現像を行い、その結果得られたパターンの線幅を計測することにより求めた関係を使用することができる。
【００３１】
製造装置には、加工条件が同一となるようにして加工を行っても場所によって形成された結果が違ってくるというように、それぞれ装置毎に特有のローカリティが現れる。
【００３２】
そこで、前記調整手段は、前記現像部で用いられる現像液の劣化とパターン線の線幅を補正する補正量との関係を、前記基板を複数の区分に分けた各区分毎に予め記憶し、該関係に基づいて前記劣化検出手段が検出した検出結果に応じた劣化に対応する該各区分毎の補正量を求め、該補正量を用いて前記加工用パターンデータにより指定されたパターン線の線幅を各区分毎に調整するものが望ましい。
【００３３】
前記調整手段は、前記現像部で用いられる現像液の劣化と前記所定の露光量を補正する補正量との関係を予め記憶し、該関係に基づいて前記劣化検出手段が検出した検出結果に応じた劣化に対応した補正量を求め、該補正量を用いて前記所定の露光量を調整するものでもよい。
【００３４】
また、前記補正部は、前記エッチング部で用いるエッチング液の劣化を検出する劣化検出手段と、
該劣化検出手段による検出結果に基づいて、前記所定の露光量および前記加工用パターンデータにより指定されたパターン線の線幅のうち少なくとも一方を調整する調整手段とを有するものでもよい。
【００３５】
エッチング液の劣化により、基板上の銅箔はエッチングされる量が少なくなり、エッチング後に形成される形成パターンのパターン線の線幅も変わってくる。そこで、エッチング液の劣化を検出した「検出結果」は、エッチング液のエッチング能力を表すものであればよく、例えば、エッチング液のＰＨ値を用いることができる。
【００３６】
そこで、前記劣化検出手段は、前記エッチング部で用いるエッチング液のＰＨ値を測定する測定手段を有し、該測定手段の測定結果に基づいてエッチング液の劣化を検出するものでもよい。
【００３７】
また、前記調整手段は、前記エッチング部で用いられるエッチング液の劣化とパターン線の線幅を補正する補正量との関係を予め記憶し、該関係に基づいて前記劣化検出手段が検出した検出結果に応じた劣化に対応した補正量を求め、該補正量を用いて前記加工用パターンデータにより指定されたパターン線の線幅を調整するものでもよい。
【００３８】
また、前記調整手段は、前記エッチング部で用いられるエッチング液の劣化とパターン線の線幅を補正する補正量との関係を前記基板を複数の区分に分けた各区分毎に予め記憶し、該関係に基づいて前記劣化検出手段が検出した検出結果に応じた劣化に対応する該各区分毎の補正量を求め、該補正量を用いて前記加工用パターンデータにより指定されたパターン線の線幅を各区分毎に調整するものでもよい。
【００３９】
さらに、前記調整手段は、前記エッチング部で用いられるエッチング液の劣化と前記所定の露光量を補正する補正量との関係を予め記憶し、該関係に基づいて前記劣化検出手段が検出した検出結果に応じた劣化に対応した補正量を求め、該補正量を用いて前記所定の露光量を調整するものでもよい。
【００４０】
また、本願発明の露光装置は、現像及びエッチングを経て目標形成パターンを形成するための加工用パターンデータに基づき、基板に付着させた被エッチング材上のレジストに、所定の露光量で直接描画露光する露光部と、
現像後のレジストパターンの形状と目標レジストパターンの形状との差異、エッチング後の形成パターンの形状と前記目標形成パターンの形状との差異、前記差異の要因となる成分のうち少なくとも１つを含む差異情報を取得する差異情報取得部と、
該差異情報に基づいて前記加工用パターンデータ及び／又は前記所定の露光量を補正する補正部とを備えたことを特徴とするものである。
【００４１】
また、差異情報取得部は、前記レジストパターンの画像情報と前記目標レジストパターンの形状との比較及び／又は前記形成パターンの画像情報と前記目標形成パターンの形状との比較によって前記差異情報を取得するものでもよい。
【００４２】
また、前記差異情報取得部は、前記画像情報を取得するユニットを有するものでもよい。
【００４３】
また、前記差異情報取得部は、前記現像液及び／又は前記エッチング液の状態に基づいて前記差異情報を取得するものでもよい。
【００４４】
また、前記差異情報取得部は、現像液及び／又はエッチング液の状態を検出するユニットを有するものでもよい。
【００４５】
また、前記差異情報取得部は、同じ現像液を用いて現像を行った回数及び／又は同じエッチング液を用いてエッチングを行った回数に基づいて検出するユニットを有するものでもよい。
【００４６】
また、前記差異情報取得部は、同じ現像液を用いて現像を行った回数及び／又は同じエッチング液を用いてエッチングを行った回数に基づいて前記差異情報を取得するものでもよい。
【００４７】
また、前記差異情報取得部は、同じ現像液を用いて現像を行った回数及び／又は同じエッチング液を用いてエッチングを行った回数と、前記基板のサイズとに基づいて検出するものでもよい。
【００４８】
また、前記差異情報取得部は、同じ現像液を用いて現像を行った回数及び／又は同じエッチング液を用いてエッチングを行った回数と、前記基板面上の前記現像及び／又は前記エッチングを施す面積とに基づいて検出するものでもよい。
【００４９】
また、前記差異情報取得部は、前記現像液を用いて現像を行った回数及び／又は同じエッチング液を用いてエッチングを行った回数を、前記露光の回数に基づいて求めるユニットを有するものでもよい。
【００５０】
また、前記差異情報取得部は、前記露光の回数に基づいて前記差異情報を取得するものでもよい。
【００５１】
また、前記差異情報取得部は、前記レジストパターンの画像情報と前記目標レジストパターンの形状との比較及び／又は前記形成パターンの画像情報と前記目標形成パターンの形状との比較によって前記差異情報を取得する第１の取得ユニットと、
前記露光回数に基づいて前記差異情報を取得する第２の取得ユニットとを有し、
前記第１のユニットと第２のユニットとを切り替える切替ユニットをさらに備えるものが望ましい。
【００５２】
前記切替ユニットは、第１の取得ユニットによる前記差異情報の取得と第２の取得ユニットによる前記差異情報の取得とを所定回数行う度に切替えるものでもよい。
【００５３】
前記補正部は、前記基板面に沿って分割された分割領域毎に前記補正を行うものでもよい。
【００５４】
前記差異情報取得部は、前記基板面の一部に対して前記差異情報の取得を行うものでもよい。
【００５５】
本願発明の露光方法は、現像及びエッチングを経て目標形成パターンを形成するための加工用パターンデータに基づき、基板に付着させた被エッチング材上のレジストに、所定の露光量で直接描画露光を行う方法であって、
前記レジストパターンの形状と目標レジストパターンの形状との差異、前記形成パターンの形状と前記目標形成パターンの形状との差異、前記差異の要因となる成分のうちの少なくとも１つを含む差異情報を取得し、
該差異情報に基づいて前記加工用パターンデータ及び／又は前記所定の露光量を補正することを特徴とするものでもある。
【００５６】
また、前記レジストパターンの画像情報と前記目標レジストパターンの形状との比較及び／又は前記形成パターンの画像情報と前記目標形成パターンの形状との比較によって前記差異情報を取得するものであってもよい。
【００５７】
また、現像液及び／又は前記エッチング液の状態に基づいて前記差異情報を取得するものでもよい。
【００５８】
また、同じ現像液を用いて現像を行った回数及び／又は同じエッチング液を用いてエッチングを行った回数に基づいて前記差異情報を取得するものでもよい。
【００５９】
あるいは、前記露光の回数に基づいて前記差異情報を取得するものでもよい。
【発明の効果】
【００６０】
本発明のパターン製造システムによれば、エッチング後の形成パターンをスキャンして得た画像情報と本来形成後に必要とするエッチング後の目標形成パターンとを比較し、比較した結果に本来必要とする目標形成パターンの精度が得られていない場合には、加工用パターンデータで指定されたパターン線の線幅や露光量を調整し、調整した線幅や露光量を用いて直描型の露光装置でレジストに直接描画して露光するため、現像液やエッチング液の劣化などによる仕上がりのばらつきをなくすことができる。
【００６１】
また、従来行われてきたフィルムまたはガラス原版に描いたマスクパターンを用いてレジストを露光する場合には、このようなばらつきに対応するために度々マスクパターンを作り直す必要がありコストが高くつくが、直描型の露光装置を用いてパターン線の線幅や露光量を随時変えることにより、コストアップを招くことなく常に仕上がりが均一になるように調整することができる。
【００６２】
あるいは、現像後のレジストパターンをスキャンして得た画像情報と現像後に本来必要とする目標レジストパターンとを比較するようにすれば、現像工程までに発生する仕上がりのばらつきを把握することができ、現像工程までのばらつきを調整することができる。
【００６３】
また、エッチング工程と現像工程の両工程で発生する仕上がりのばらつきを検出できるようにすれば、ばらつきが発生した工程に対応して加工用パターンデータで指定されたパターン線の線幅や露光量を調整することが可能となり、より適切な補正を行うことが可能になる。
【００６４】
また、パターン線の線幅を補正する補正量と比較結果との関係として実測して得たものを記憶しておくようにすれば、各製造装置に対応した補正を行うことが可能になる。
【００６５】
さらに、パターン線の線幅を補正する補正量と比較結果との関係を複数の区分に分けて記憶しておいた場合には、製造装置の持つローカリティによる仕上がりのばらつきをなくすように補正することができるため、より正確で均一な仕上がりにすることが可能になる。
【００６６】
また、露光量を補正する補正量と比較によって得られた差分などの比較結果との関係として実測して得たものを記憶しておくことにより、各製造装置に対応した補正を露光量を調整することによっても可能になる。
【００６７】
また、現像液やエッチング液の劣化を検出して、検出結果に基づいて、加工用パターンデータで指定されたパターン線の線幅や露光量を調整し、調整した線幅や露光量を用いて直描型の露光装置でレジストに直接描画して露光するため、現像液やエッチング液の劣化などによる仕上がりのばらつきをなくすことができる。
【００６８】
また、現像処理したレジストの面積から現像液の劣化を間接的に検出するようにすれば、現像液の劣化を直接検出する検出装置を設けなくとも、露光装置で露光した面積や加工した基板の枚数から劣化状態を把握することが可能である。
【００６９】
また、現像液のＰＨ値やエッチング液のＰＨ値を測定することによって、現像液の劣化やエッチング液の劣化を検出することが可能である。
【００７０】
また、パターン線の線幅を補正する補正量と検出結果との関係として実測して得たものを記憶しておくようにすれば、各製造装置に対応した補正を行うことが可能になる。
【発明を実施するための最良の形態】
【００７１】
以下、本発明のパターン製造システムの第１の実施の形態について図面を用いて説明する。
【００７２】
図１は、パターン製造システムの第１の実施の形態を示す図であり、このパターン製造システム１により形成パターンの一例である回路パターンを製造する場合について説明する。基板上に回路パターンを形成する場合には、まず、銅箔貼着工程Ａにおいて基板上に回路形成材である銅箔を貼着し、整面工程Ｂにおいて貼着した銅箔の上面を機械研磨や化学研磨で整面処理し、ラミネーション工程Ｃにおいて、整面した銅箔上面にレジスト（レジスト材）をラミネートする。次に、本発明のパターン製造システム１により、基板に塗布されたレジストを露光し、露光されたレジストを現像してレジストパターンを形成し、レジストパターンが形成された基板上の銅箔をエッチングして形成パターンを形成する。
【００７３】
上記パターン製造システム１は、ラミネートされたレジスト材にパターンを露光する直描型の露光装置（露光部）４、露光されたレジストを現像してレジストパターンを形成する現像装置（現像部）５、レジストパターンが形成された基板上の銅箔をエッチングして形成パターンを形成するエッチング装置（エッチング部）６を備えている。
【００７４】
エッチング装置６には、銅箔をエッチングして形成された形成パターンをスキャンした画像情報２００が得られるように、ＣＣＤカメラを用いた光学式検査機（ＡＯＩ）などの画像認識装置（画像認識手段）６０が設けられ、画像認識装置６０は露光装置４とネットワーク８で接続されて、画像情報２００が画像認識装置６０から露光装置４に送信される。
【００７５】
ＣＡＤ（Computer  Aided  Design）などを用いて設計された目標形成パターン（実際に形成しようとしている回路パターン）は、ＣＡＭ（Computer  Aided  Manufacturing）７に取り込まれ、ＣＡＭ７では、目標形成パターンの面付けレイアウト処理、位置合わせ用のマーキング、識別用のシンボルデータ、パターンの均一化用のダミーデータなどの付加情報の付加などを行った後に、回路パターンを加工するための座標値、線幅などを含む加工用パターンデータ１００（例えば、Ｇｅｒｂｅｒデータなど）に変換されて露光装置４に出力される。
【００７６】
露光装置４は、図２に示すように、ＣＡＭから入力された加工用パターンデータ１００を加工に適した形式に変換するデータ変換手段４１と、回路パターンが設計どおりの仕上がりとなるように加工用パターンデータや露光装置の露光量を補正する補正部４５と、加工用パターンデータ１００に従って露光を行う露光制御手段（露光用光源を含む）４４とを備えている。以下、本実施の形態では、補正手段４５を露光装置４内に設けた場合について説明するが、他のコンピュータに補正手段４５を備えた補正装置（補正部）を露光装置４に接続するようにしてもよい。
【００７７】
また、補正手段４５は、エッチング後に画像認識装置６０で認識された画像情報２００と目標形成パターン２０１とを比較して比較結果（差異情報）２０２を得る線幅比較手段（差異情報取得部）４２と、得られた比較結果２０２に基づいて、エッチング後の形成パターンを目標形成パターン２０１に近づけるように加工用パターンデータ１００や露光量を調整する調整手段４３とを備えている。
【００７８】
上記露光装置４として、レーザなどを用いてレジストに直接描画する直描装置が用いられる。例えば、図３に示すように、レーザ直描装置４０はレーザ発生装置から発せられるレーザビームＬＢをビームスプリッターやビームセパレータを介して複数の描画用光束Ｌに分割し、分割された光束が一列状に並ぶ描画用光束ＬＬとなって描画テーブルＴに上に到達するように構成され、描画テーブルＴにセットされた基板Ｓ上を主走査方向（Ｙ方向）と副走査方向（Ｘ方向）に描画用光束ＬＬを走査させて基板Ｓに１列状に並んだドットで描画を行うものである。具体的には、特開平７−１５９９３公報や特開平９−３２３１８０公報などに開示されている。あるいは、直描型の露光装置として、ＬＣＤ（液晶表示素子）やＤＭＤ（デジタル・マイクロミラー・デバイス）などの空間光変調素子を用いるものであってもよい。
【００７９】
このようなレーザ直描装置４０で基板上のレジストに描画を行う場合には、加工用パターンデータ１００をラスタデータに変換したものを描画データとし、この描画データに基づいて露光制御手段４４で露光が行われる。また、露光は装置に設定されている標準露光量に基づいて行うが、必要に応じて露光量を調整することが可能である。露光量を調整するためには、調整手段４３で求めた露光量を描画データとは別の情報として露光制御手段４４に伝達することもできるが、露光量を描画データの画素を多値で表すものとし、調整手段４３で求めた露光量に対応した多値に描画データを変換して露光制御手段４４に伝達することもできる（例えば、１画素を２５５階調で表し、２５５が最大の露光量を表し数値が小さくなるほど露光量は小さくなる）。
【００８０】
ここで、パターン製造システム１を用いて同じ回路パターンを繰り返し製造する場合の作用について、図４のフローチャートに従って説明する。
【００８１】
まず、回路パターンを製造するために、露光装置４はＣＡＭから加工用パターンデータ１００を受信し（Ｓ１００）、露光装置４では受信したＧｅｒｂｅｒデータ等のベクトルデータ形式の加工用パターンデータ１００をデータ変換手段４１でラスタデータ形式の加工用パターンデータ（描画データ）に変換して（Ｓ１０１）、露光制御手段４４で基板の銅箔上に塗布されたレジストの露光を行う（Ｓ１０２）。
【００８２】
基板の銅箔上に塗布されたレジストが露光されると、現像装置５で現像を行って不要なレジストが除去され（ポジ型レジストの場合は露光されたレジストが除去され、ネガ型レジストの場合は露光されていないレジストが除去される）、銅箔の上面にレジストパターンが形成される（Ｓ１０３）。さらに、レジストパターンが形成された基板上の銅箔をエッチング装置６でエッチングして形成パターンが形成される（Ｓ１０４）。形成された形成パターンは画像認識装置６０でスキャンされ（Ｓ１０５）、得られた画像情報２００は露光装置４に送信される。
【００８３】
露光装置４では、画像認識装置６０で得られた画像情報２００と予めを記憶していた目標形成パターン２０１のパターン線の線幅との比較を線幅比較手段４２で行う（Ｓ１０６）。加工に用いられる加工用パターンデータ１００は、パターン線の間隔（疎密）、露光量、現像液の状態、エッチング液の状態などの様々な加工条件を考慮して形成後の形成パターンが本来必要とする目標形成パターン２０１の線幅に仕上がるようにＣＡＭなどで補正されたデータ（例えば、設計段階で指定された線幅より部分的に太くしたり細くしたりしたもの）となっている場合が多い。そこで、目標形成パターン２０１は、加工用パターンデータ１００とは別にＣＡＤ（不図示）やＣＡＭ７などから仕上がり目標となる線幅を持つデータを受け取って、目標形成パターン２０１として予め記憶しておく。
【００８４】
線幅比較手段４２で画像情報２００のパターン線の線幅と目標形成パターン２０１のパターン線の線幅の比較を行うために、例えば、露光装置、現像装置、エッチング装置の各装置に順次セットして加工を行う基板上の領域を、図５に示すように、複数の領域（Ｄ１、Ｄ２、Ｄ３、Ｄ４）に分割する。また、分割した基板上の複数の領域に対応するように目標形成パターン２０１を複数の領域に分割して、対応する各領域毎（Ｄ１、Ｄ２、Ｄ３、Ｄ４）に比較を行う。
【００８５】
目標形成パターン２０１がラスタデータで記憶されている場合には、比較を行うために画像情報２００（ビットマップ）と目標形成パターン２０１の各領域を重ね合わせて（図６参照、●は重なった部分で○は重ならない部分を示す）、重ならない部分のドット（○の部分）をカウントし、パターン線の線幅の差分や面積の差分（あるいは、比）を求める。例えば、図６に示すように、ある領域で発生したパターン線の線幅の差分Δｄが２ドットの場合には、この２ドットの差分に基づいて補正を行う。また、画像情報２００と目標形成パターン２０１とを重ね合わせた際、同じ領域内であってもパターン線によって差分が２ドットであったり、３ドットであったりする場合もあるが、差分の平均値や代表値（頻繁に発生する差分）を用いて補正する。
【００８６】
あるいは、目標形成パターン２０１がベクトルデータとして記憶されている場合には、画像情報２００から線幅を概算して、目標形成パターン２０１の線幅（あるいは、面積）との差分を求めて比較することも可能である。
【００８７】
このようにして得られた比較結果２０２から、画像情報２００と目標形成パターン２０１との差が所定の値以下である場合には（Ｓ１０７−ＹＥＳ）、そのまま同じ加工用パターンデータ１００を用いて次の基板の加工を行なうことができるが、画像情報２００と目標形成パターン２０１との差が所定の値以上である場合には（Ｓ１０７−ＮＯ）、加工用パターンデータ１００を補正する必要がある。
【００８８】
そこで、線幅比較手段４２によって得られた比較結果２０２に基づいてエッチング後の形成パターンの線幅が目標とする線幅（目標形成パターンの線幅）になるように、調整手段４３では加工用パターンデータ１００で指定されたパターン線の線幅や露光量を調整する（Ｓ１０８）。
【００８９】
目標とする線幅と実際に形成された線幅との差分Δｄと、その差をなくすために加工用パターンデータ１００のパターン線の線幅を補正する補正量ΔＷとの間は、例えば、図７に示すような関係があり、
ΔＷ＝ｆ１（Δｄ）                  （１）
と表される。この関係は実験を行って得られた結果や実際に製造して得られた結果等に基いて求めて予め記憶しておき、これに基づいて線幅の調整を行う。
【００９０】
また、現像液やエッチング液の循環、シャワー圧、搬送方向、パターン線の疎密などに起因して、形成されるパターン線の線幅が基板の場所によって違うというようなローカリティが発生し、線幅の差分Δｄとその差をなくすための補正量ΔＷとの関係にも、同様のローカリティが発生する。そこで、これらのローカリティが吸収できるように、基板を複数の領域に分割し、領域毎に目標とする線幅と実際に形成された線幅との差分Δｄとその差をなくすための補正量ΔＷとの関係を求め、その領域において最も適切な補正となるような関係を記憶しておく。また、この領域の分割は細かくする程、場所による違いに対応して調整することが可能となる。
【００９１】
線幅を補正する量は、線幅比較手段４２で求めた比較結果２０２（上述のように線幅の差分と線幅を補正する量との関係が求められている場合には、画像情報２００のパターン線の線幅と目標形成パターン２０１のパターン線の線幅との差分）に基づいて、上述の関係を用いて求められる。例えば、ある１つの領域Ｄ１で画像情報２００と目標形成パターン２０１の線幅と差分がｄ１の場合には、そのときの補正量Ｗ１を用いて、この領域Ｄ１の全体の線幅をＷ１だけ細くするように調整する（図７参照）。
【００９２】
上述のように、同じ領域内のパターン線は全てに同じ補正を行う（つまり、図４に示すＤ１、Ｄ２、Ｄ３、Ｄ４に対応して記憶している上述の関係を用い、各領域にある加工用パターンデータ１００のパターン線の線幅に同じ補正量の補正を行う）ようにすることもできるが、図８に示すように、線幅比較手段４２で求めた差分が、Ｄ１内の位置Ｐ１（Ｘ１、Ｙ１）では差分ｄ１で、位置Ｐ２（Ｘ２、Ｙ２）では差分ｄ２というように同じ領域Ｄ１内でも場所によって差分に違いが出る場合には、位置Ｐ１の近傍のパターン線に対しては差分ｄ１に対する補正量Ｗ１ほど加工用パターンデータ１００のパターン線の線幅を補正し、位置Ｐ２の近傍のパターン線に対しては差分ｄ２に対する補正量Ｗ２ほど加工用パターンデータ１００のパターン線の線幅を補正するようにしてもよい（ただし、Ｄ１内に対応して記憶している関係は図７に示すような、その領域の代表的な１つの関係を記憶している。）。
【００９３】
以上、形成パターンのパターン線の線幅の調整を加工用パターンデータ１００のパターン線の線幅を直接補正する場合について説明したが、加工用パターンデータ１００の露光量を調整してエッチング後の形成パターンのパターン線の線幅を調整することも可能である。露光量を変えて形成パターンのパターン線の線幅を調整するには、露光量を変化させるとそれに伴ってどの位パターン線の線幅が変わるかを記憶しておいて露光量の調整を行う。パターン線の補正量ΔＷと、この補正量ΔＷ程線幅を変えるための露光量を補正する補正量ΔＥとの間には、例えば、図９に示すような関係があり、
ΔＷ＝ｆ２（ΔＥ）                  （２）
と表せる。この関係も、前述の（１）式と同様に、実験を行って得られた結果や実際に製造して得られた結果等に基いて求めて予め記憶しておく。また、この関係も基板の場所によってローカリティが発生するため、複数の領域に分けて記憶しておくものが望ましい。
【００９４】
露光量を調整して形成パターンの線幅を調整するためには、前述と同様に、線幅比較手段４２で求めた比較結果２０２（線幅の差分ｄ１）を求め、まず（１）式に基づき線幅を補正する補正量Ｗ１を求める。さらに（２）式の関係に基づいて、補正量Ｗ１から露光量を補正する補正量Ｅ１を求め（図９参照）、補正量Ｅ１で露光制御部４４に伝達する露光量を補正する。
【００９５】
線幅の調整を行う場合と同様に露光量の調整も、基板上の領域を複数の領域に分割し、分割した基板上の複数の領域に対応するように目標形成パターン２０１を複数の領域に分割して、対応する各領域毎に比較を行うようにしたものが望ましい。また、同じ領域に対しては一斉に同じ補正を行うようにしてもよいし、領域内の位置（例えば、前述のＰ１、Ｐ２）に応じて変えるようにしてもよい。
【００９６】
以上説明したように、線幅比較手段４２によって得られた比較結果２０２が所定の値以上の場合には、露光量または加工用パターンデータ１００の線幅を調整したものを用いて次の基板の銅箔上のレジストを露光する（Ｓ１０２）。
【００９７】
レジストが露光された基板は現像装置５で不要なレジストが除去され、銅箔の上面にレジストパターンが形成される（Ｓ１０３）。レジストパターンが形成された基板上の銅箔はエッチング装置６でエッチングされて形成パターンが形成される（Ｓ１０４）。形成パターンが形成された基板は、再度、画像認識装置６０でスキャンされ（Ｓ１０５）、得られた画像情報２００が露光装置４に送信される。以下、前述の同様に、線幅比較手段４２によって得られた比較結果２０２から（Ｓ１０６）、画像情報２００と目標形成パターン２０１との差分が所定の値以下の場合には（Ｓ１０７−ＹＥＳ）、調整を行わずに同じ露光量で同じ加工用パターンデータ１００を用いて次の基板の加工を行なうが、画像情報２００と目標形成パターン２０１との差が所定の値以上となる場合には（Ｓ１０７−ＮＯ）、露光量や加工用パターンデータ１００を再度補正して（Ｓ１０８）、次の基板の加工を行う。
【００９８】
また、以上、調整手段４３では所定の値以上の差がある場合に調整を行うとして説明したが、差が僅かであっても差があれば調整を行うようにしてもよい。
【００９９】
このように、線幅や露光量の調整を繰り返し行うことにより、エッチング後に形成されたパターンが常に同じ精度で仕上がるようにすることができる。
【０１００】
次に、第２の実施の形態は、現像後のレジストパターンをスキャンして線幅の調整を行う場合について説明する。図１０は、第２の実施の形態のパターン製造システム１ａの実施の形態を示す図である。第１の実施の形態と同一の構成には同一符号を付して詳細な説明は省略し、相違するものについてのみ説明する。
【０１０１】
本実施の形態のパターン製造システム１ａは、露光装置４ａ、現像装置５ａ、エッチング装置６ａを備えている。
【０１０２】
本実施の形態では、エッチング装置６ａに画像認識装置を設けず、現像装置５ａに露光したレジストを現像して形成されたレジストパターンをスキャンした画像情報２００ａを得るための画像認識装置５０を設け、画像認識装置５０と露光装置４ａとをネットワーク８で接続して、得られた画像情報２００ａを露光装置４ａに送信する。
【０１０３】
また、露光装置４ａは、図１１に示すように、現像後に画像認識装置５０で認識された画像情報２００ａのパターン線の線幅と、現像後に形成されたレジストパターンの目標である目標レジストパターン２０３のパターン線の線幅とを比較して比較結果（差異情報）２０２ａを得る線幅比較手段（差異情報取得部）４２ａと、得られた比較結果２０２ａに基づいて、現像後のレジストパターンが目標レジストパターン２０３に近づくように加工用パターンデータ１００や露光量を調整する調整手段４３ａと、加工用パターンデータ１００に従って露光を行う露光制御手段４４とを備えている。
【０１０４】
画像認識装置５０は、前述の実施の形態の画像認識装置６０と略同様のもので現像されたレジストのレジストパターンの画像情報２００ａを得ることができるように現像装置５ａに設けられたものである。
【０１０５】
また、目標レジストパターン２０３は現像後のレジストパターンの仕上がり目標となる線幅のものをＣＡＭなどでシミュレーションし、そのデータを受け取って目標レジストパターン２０３として予め記憶しておく。
【０１０６】
調整手段４３ａでは、加工用パターンデータ１００のパターン線の線幅を補正する補正量と比較結果２０２ａとの関係や、露光量を補正する補正量と比較結果２０２ａとの関係の関係を予め記憶しておき、線幅比較手段４２ａで得た画像情報２００ａと目標レジストパターン２０３の比較結果２０２ａに基づいて、前述の実施の形態と略同様の調整を行う。また、加工用パターンデータ１００のパターン線の線幅を補正する補正量と比較結果２０２ａとの関係や、露光量を補正する補正量と比較結果２０２ａとの関係は、前述の実施の形態と同様に、実験を行って得られた結果や実際に製造して得られた結果等に基いて求めて予め記憶しておき、これに基づいて露光量や加工用パターンデータ１００のパターン線の線幅の調整を行う。
【０１０７】
このような構成を備えることにより、第２の実施の形態では、現像後に画像認識装置５０によって得られた画像情報２００ａのパターン線の線幅と目標レジストパターン２０３のパターン線の線幅との比較結果２０２ａに基づいて、現像後に目標レジストパターン２０３の線幅にレジストパターンが仕上がるように、加工用パターンデータ１００で指定された線幅や露光量の調整を随時行う。
【０１０８】
以上説明したように、第２の実施の形態では、現像後に形成されたレジストパターンが同じ精度で仕上がるようにすることが可能となる。
【０１０９】
前述の各実施の形態では、エッチング後の形成パターンか現像後のレジストパターンのいずれかが目標の精度で仕上がっているかを確認して露光するパターン線の線幅や露光量を調整する場合について説明したが、エッチング装置と現像装置の双方に画像認識装置を設けるようにして、エッチング後の形成パターンと目標形成パターンとの比較結果と、現像後のレジストパターンと目標レジストパターンとの比較結果の双方を見てパターン線の線幅の差が大きく出ている工程を基準にして加工用パターンデータを調整するようにすれば、より適切な調整を行うことが可能である。あるいは、双方の比較結果を加味して加工用パターンデータを調整するようにしてもよい。
【０１１０】
また、前述の各実施の形態では、エッチング後の形成パターンのパターン線の線幅と目標形成パターンのパターン線の線幅とを比較する場合や、現像後のレジストパターンのパターン線の線幅と目標レジストパターンのパターン線の線幅とを比較する場合において、基板を複数の領域に分けて、各領域毎に加工用パターンデータにより指定されたパターン線の線幅を調整する補正量と比較結果との関係を記憶して補正する場合について説明したが、加工用パターンデータにより指定されたパターン線の線幅を調整する補正量と比較結果との関係は全体で１つの関係を記憶し、各領域表れる比較結果に対応して各領域毎に加工用パターンデータを調整するようにしてもよい。
【０１１１】
また、前述の各実施の形態では、基板を複数の領域に分けて比較する場合について説明したが、場所によって発生するローカリティが大きく現れない場合には、加工用パターンデータにより指定されたパターン線の線幅を調整する補正量と比較結果との関係は全体で１つの関係を記憶し、領域に分けないで加工用パターンデータを調整するようにしてもよい。
【０１１２】
また、前述の各実施の形態では、パターンの誤差を判断するための対象は、線幅には限定されず、線幅を含むパターンの形状であっても良い。即ち、目的とするパターンの形状と現像やエッチングの結果得られたパターンの形状との差異に基づいて、露光量やパターンデータを補正するようにしてもよい。
【０１１３】
図１２は、パターン製造システムの第３の実施の形態を示す図であり、このパターン製造システム１１により形成パターンの一例である回路パターンを製造する場合について説明する。基板上に回路パターンを形成する場合には、まず、銅箔貼着工程Ａにおいて基板上に回路形成材である銅箔を貼着し、整面工程Ｂにおいて貼着した銅箔の上面を機械研磨や化学研磨で整面処理し、ラミネーション工程Ｃにおいて、整面した銅面上にレジスト（レジスト材）をラミネートする。次に、本発明のパターン製造システム１１により、基板に塗布されたレジストを露光し、露光されたレジストを現像してレジストパターンを形成し、レジストパターンが形成された基板上の銅箔をエッチングして形成パターンを形成する。
【０１１４】
上記パターン製造システム１１は、ラミネートされたレジスト材にパターンを露光する直描型の露光装置（露光手段）１４、露光されたレジストを現像してレジストパターンを形成する現像装置（現像手段）１５、レジストパターンが形成された基板上の銅箔をエッチングして形成パターンを形成するエッチング装置（エッチング手段）１６を備えている。
【０１１５】
現像装置１５には、現像液の劣化を検出することができるように劣化検出手段１５０が設けられ、劣化検出手段１５０は露光装置１４とネットワーク１８で接続されて、検出結果（差異情報）１２００が劣化検出手段１５０から露光装置１４に送信される。
【０１１６】
劣化検出手段１５０として、現像装置５にレジスト溶解量を測定する測定装置（測定手段）が設けられ、測定装置の測定結果に基づいて現像液の劣化状態を表す検出結果１２００が得られる。測定装置として、具体的には、ＰＨ法や中和滴定法を用いて測定する自動分析装置や液管理装置等が用いられる。
【０１１７】
例えば、中和滴定法を用いてレジスト溶解量の測定を行う場合は、現像装置１５で使用されている現像液（例えば、炭酸ナトリウム水溶液）の一部をサンプリングして測定装置に取り出し、取り出した現像液に塩酸を滴下させてＰＨ値の変化を測定し、ＰＨ値の変化からレジスト溶解量を算定することができる。サンプリングした現像液に塩酸（ＨＣｌ）を滴下させながらＰＨ値を測定すると、例えば、図１３に示すような、中和滴定曲線を描き、中和滴定曲線の第一変曲点の滴下量Ａｍｌと第二変曲点の滴下量Ｂｍｌの値からレジスト溶解量Ｓが得られる。
【０１１８】
Ｓ  ＝  ｋ  ×  （Ｂ−２Ａ）／Ｃ
但し、  Ｃ：現像液のサンプリング量
ｋ：溶解量への換算係数
この測定して得られた溶解量Ｓから現像液の劣化を検出することができる。
【０１１９】
露光装置１４は、図１４に示すように、ＣＡＭ１７から入力された加工用パターンデータ１１００を加工に適した形式に変換するデータ変換手段１４１と、回路パターンが設計どおりの仕上がりとなるように加工用パターンデータや露光装置の露光量を補正する補正部１４５と、加工用パターンデータ１１００に従って露光を行う露光制御手段（露光用光源を含む）１４４とを備えている。補正部１４５は、劣化検出手段１５０で得られた検出結果１２００を差異情報取得部１４６により取得して、加工用パターンデータ１１００や露光量を調整する調整手段１４３とを備えている。以下、本実施の形態では、補正部１４５を露光装置１４内に設けた場合について説明するが、他のコンピュータにデータに補正部１４５を備えた補正装置（補正部）を露光装置１４に接続するようにしてもよい。
【０１２０】
上記露光装置１４として、レーザなどを用いてレジストに直接描画する直描装置が用いられる。例えば、図３に示すように、レーザ直描装置４０はレーザ発生装置から発せられるレーザビームＬＢをビームスプリッターやビームセパレータを介して複数の描画用光束Ｌに分割し、分割された光束が一列状に並ぶ描画用光束ＬＬとなって描画テーブルＴ上に到達するように構成され、描画テーブルＴにセットされた基板Ｓ上を主走査方向（Ｙ方向）と副走査方向（Ｘ方向）に描画用光束ＬＬを走査させて基板Ｓに１列状に並んだドットで描画を行うものである。具体的には、特開平７−１５９９３公報や特開平９−３２３１８０公報などに開示されている。あるいは、直描型の露光装置として、ＬＣＤ（液晶表示素子）やＤＭＤ（デジタル・マイクロミラー・デバイス）などの空間光変調素子を用いるものであってもよい。
【０１２１】
このようなレーザ光を複数の描画光束に分解してドットで描画を行うレーザ直描装置４０を用いて、基板の銅箔上に塗布されたレジストに回路パターンの描画を行うためには、加工用パターンデータ１１００をラスタデータに変換したものを描画データとして用い、この描画データに基づいて露光制御手段１４４で露光が行なわれる。また、露光は露光装置に設定されている標準露光量に基づいて行うが、必要に応じて露光量を調整することが可能である。露光量を調整するためには、調整手段１４３で求めた露光量を描画データとは別の情報として露光制御手段１４４に伝達することもできるが、露光量を描画データの画素を多値で表すものとし、調整手段１４３で求めた露光量に対応した多値に描画データを変換して露光制御手段１４４に伝達することもできる。例えば、１画素（１ドット）を２５５階調で表すものとし、２５５が最大の露光量を表し、数値が小さくなるほど小さい露光量を表すものとする。露光制御手段１４４では、このように多値（階調）で表された描画データに基づいて諧調に応じた露光量で露光を行う。
【０１２２】
ここで、パターン製造システム１１を用いて同じ回路パターンを繰り返し製造する場合の作用について、図１５のフローチャートに従って説明する。
【０１２３】
まず、所定の回路パターンを製造するために、露光装置１４はＣＡＭ７から加工用パターンデータ１１００を受信し（Ｓ１１００）、露光装置１４では受信したＧｅｒｂｅｒデータ等のベクトルデータ形式の加工用パターンデータ１１００をデータ変換手段１４１でラスタデータ形式の加工用パターンデータ（描画データ）に変換して（Ｓ１１０１）、ラスタデータ形式の加工用パターンデータを用いて露光制御手段１４４でレジストの露光を行う（Ｓ１１０２）。
【０１２４】
レジストが露光されると現像装置１５で現像を行い不要なレジストが除去され（ポジ型レジストの場合は露光されたレジストが除去され、ネガ型レジストの場合は露光されていないレジストが除去される）、銅箔の上面にレジストパターンが形成される（Ｓ１１０３）。さらに、レジストパターンが形成された基板上の銅箔をエッチング装置６でエッチングして形成パターンを形成する（Ｓ１１０４）。
【０１２５】
一方、現像装置１５に用いられる現像液は、劣化検出手段１５０で、例えば所定の間隔でサンプリングされ、測定装置でレジスト溶解量が測定される。この測定結果に基づいて現像液の劣化の度合いが検出され、この検出結果１２００はネットワーク１８を介して測定装置から露光装置１４に随時送信される。
【０１２６】
現像装置１５で同じ現像液を用いて、繰り返し現像すると現像液中に溶解したレジストの量は多くなりレジストは現像されにくくなる。そのため、本来現像されるべき量のレジストが現像されず、仕上がったレジストパターンのパターン線の線幅が細くなる。レジストパターンのパターン線が細くなると、そのレジストパターンを用いてエッチングして形成された形成パターンのパターン線の線幅も細くなり、目標とする目標形成パターンのパターン線の線幅とは一致しなくなる。
【０１２７】
そこで、レジストパターンのパターン線が所望の線幅で仕上がるためには、露光装置１４は検出結果１２００を受信し（Ｓ１１０５）、受信した検出結果１２００、即ち、レジスト溶解量が所定の値以下である場合には（Ｓ１１０６−ＹＥＳ）、そのまま同じ加工用パターンデータ１１００を用いて次の基板の加工を行なってもよいが、レジスト溶解量が所定の値以上である場合には（Ｓ１１０６−ＮＯ）、加工用パターンデータ１１００を補正して露光を行う必要がある。
【０１２８】
そこで、調整手段１４３は、レジスト溶解量に基づいてエッチング後の形成パターンの線幅が目標とする線幅（目標形成パターンの線幅）になるように、加工用パターンデータ１１００で指定されたパターン線の線幅を調整する（Ｓ１１０７）。
【０１２９】
形成パターンのパターン線の線幅が所望の線幅に仕上がるように加工用パターンデータ１１００のパターン線の線幅の補正する補正量ΔＷとレジスト溶解量Ｄとの間には、例えば、図１６に示すような関係があり、
ΔＷ＝ｆ１（Ｓｒ）                  （３）
Ｓｒ：レジスト溶解量
と表される。この関係は実験を行って得られた結果や実際に製造して得られた結果等から求め、求めた関係を予め露光装置１４に記憶しておき、調整手段１４３では、これに基づいて線幅の調整を行う。
【０１３０】
また、現像液の循環、シャワー圧、搬送方向、パターン線の疎密などに起因して、形成パターンのパターン線の線幅が基板の場所によって違うというようなローカリティが発生する。上記補正量ΔＷとレジスト溶解量Ｄとの関係にも、同様のローカリティが発生する。そこで、これらのローカリティが吸収できるように、例えば、露光装置、現像装置、エッチング装置の各装置に順次セットして加工を行う基板上の領域を、図１７に示すような複数の区分（Ｄ１、Ｄ２、Ｄ３、Ｄ４）に分割し、各区分毎に補正量ΔＷとレジスト溶解量Ｄとの関係を求め、各区分において最も適切な補正が得られるように補正量ΔＷとレジスト溶解量Ｄとの関係を記憶しておく。この区分の分割は細かくする程、場所に対応して細かく調整をすることが可能となる。
【０１３１】
そこで、露光装置１４では、測定装置１５０から受信したレジスト溶解量に基づいて、調整手段１４３で上述の関係を用いて線幅を補正する量を求める。例えば、レジスト溶解量がＳｒ１の場合には、そのときの補正量Ｗ１を用いて調整する（図１６参照）。
【０１３２】
また、図１７に示すＤ１、Ｄ２、Ｄ３、Ｄ４に対応して上述の関係を記憶している場合には、分割した基板上の複数の区分に対応するように加工用パターンデータ１１００も複数の区分に分割して、各区分毎に加工用パターンデータ１１００のパターン線の線幅の補正を行う。
【０１３３】
以上、形成パターンのパターン線の線幅が所望の線幅となるように、加工用パターンデータ１１００のパターン線の線幅を補正する場合について説明したが、加工用パターンデータ１１００の露光量を調整して形成パターンのパターン線の線幅を調整することも可能である。露光量を変えて形成パターンのパターン線の線幅を調整するには、露光量を変化させるとそれに伴ってどの程度形成パターンのパターン線の線幅が変わるかを記憶しておいて露光量の調整を行う。パターン線の補正量ΔＷと、この補正量ΔＷ程線幅を変えるための露光量を補正する補正量ΔＥとの間には、例えば、図１８に示すような関係があり、
ΔＷ＝ｆ２（ΔＥ）                  （４）
と表せる。この関係も、前述の（１）式と同様に、実験を行って得られた結果や実際に製造して得られた結果等に基づいて求め、求めた関係を予め露光装置１４に記憶しておく。また、この関係も基板の場所によってローカリティが発生するため、複数の区分に分けて記憶しておくものが望ましい。
【０１３４】
露光量を調整して形成パターンの線幅を調整するためには、前述と同様に、調整手段１４３で、まず、検出結果１２００（レジスト溶解量）と、（３）式に基づき線幅を補正する補正量Ｗ１を求める。さらに（４）式の関係に基づいて、補正量Ｗ１から露光量を補正する補正量Ｅ１を求め（図１８参照）、補正量Ｅ１で露光制御部１４４に伝達する露光量を補正する。
【０１３５】
線幅の調整を行う場合と同様に露光量の調整も、基板上の区分を複数の区分に分割し、分割した基板上の複数の区分に対応するように加工用パターンデータ１１００を複数の区分に分割して、対応する各区分毎に補正して調整したものが望ましい。
【０１３６】
以上説明したように、測定装置で計測されたレジスト溶解量が所定の値以上の場合には、露光量または加工用パターンデータ１１００の線幅を調整したものを用いて、次に加工する基板のレジストを露光する（Ｓ１１０２）。
【０１３７】
レジストが露光された基板は現像装置１５で不要なレジストが除去され、銅箔の上面にレジストパターンが形成される（Ｓ１１０３）。レジストパターンが形成された基板上の銅箔はエッチング装置１６でエッチングされて形成パターンが形成される（Ｓ１１０４）。
【０１３８】
以下、前述の同様に、測定装置１５０で計測されたレジスト溶解量が所定の値以下の場合には（Ｓ１１０６−ＹＥＳ）、調整を行わずに同じ露光量で同じ加工用パターンデータ１１００を用いて次の基板の加工を行なうが、レジスト溶解量が所定の値以上となる場合には（Ｓ１１０６−ＮＯ）、加工用パターンデータ１１００を再度補正して（Ｓ１１０７）、次の基板の加工を行う。
【０１３９】
以上、調整手段１４３では所定の値以上の差がある場合に調整を行うとして説明したが、差が僅かであっても差があれば調整を行うようにしてもよい。
【０１４０】
また、レジスト溶解量を測定して加工用パターンデータのパターン線を補正する場合について説明したが、測定装置でサンプリングした現像液のＰＨ値を測定して補正するようにしてもよい。この場合には、ＰＨ値と加工用パターンデータのパターン線の線幅を補正する補正量との関係を求めて予め露光装置に記憶し、この関係に基づいて補正を行う。
【０１４１】
以上詳細に説明したように、現像液に溶解しているレジスト溶解量やＰＨ値を測定して、現像液の劣化を検出し、形成パターンが所望の線幅になるようにレジスト溶解量に応じて露光量や加工用パターンデータの線幅を調整することが可能である。
【０１４２】
次に、第４の実施の形態では、現像処理したレジストの処理面積に基づいて現像液の劣化を検出する場合について説明する。図１９は、第４の実施の形態のパターン製造システム１１ａの実施の形態を示す図である。第３の実施の形態と同一の構成には同一符号を付して詳細な説明は省略し、相違するものについてのみ説明する。
【０１４３】
本実施の形態のパターン製造システム１１ａは、露光装置１４ａ、現像装置１５ａ、エッチング装置１６を備えている。
【０１４４】
本実施の形態では、現像装置１５ａに劣化検出手段を設けず、露光装置１４ａに劣化検出手段４２を設ける。さらに、露光装置１４ａには、図２１に示すように、ＣＡＭ１７から入力された加工用パターンデータ１１００を加工に適した形式に変換するデータ変換手段１４１と、劣化検出手段（差異情報取得部）１４２で得られた検出結果（差異情報）１２００ａに基づいて、加工用パターンデータ１１００を調整する調整手段１４３ａと、加工用パターンデータ１１００に従って露光を行う露光制御手段１４４とを備えている。
【０１４５】
劣化検出手段１４２は、露光制御手段１４４でレジストを露光した露光面積を累積し、累積した露光面積から現像処理したレジストの処理面積を求めて、この処理面積に基づいてレジスト溶解量を求める。ポジ型レジストの場合は露光されたレジストが現像液に溶解し、ネガ型レジストの場合は露光されていないレジストが現像液に溶解するため、ポジ型レジストの場合は、累積した露光面積が処理面積となり、ネガ型レジストの場合は、基板上にレジストが塗布された面積から露光面積をさし引いたものが処理面積となる。
【０１４６】
現像装置１５ａの現像液に融解したレジスト融解量Ｓｒと現像処理したレジストの処理面積Ｓｄとには、例えば、図２１に示すような関係があり、
Ｓｒ＝ｆ３（Ｓｄ）        （５）
と表される。そこで、現像処理したレジストの処理面積とレジスト融解量との関係を、実験を行って得られた結果や実際に製造して得られた結果等から求め、求めた関係を予め露光装置１４ａに記憶しておく。
【０１４７】
調整手段１４３ａは、式（５）の関係に基づいてレジストの処理面積Ｓｄ１からレジスト融解量Ｓｒ１を求め、さらに、式（３）の関係に基づいてレジスト融解量Ｓｒ１からパターン線の補正を行う補正量ΔＷを求めて、加工用パターンデータ１１００のパターン線の線幅の補正を行う。
【０１４８】
また、前述の実施形態と同様に、基板上を複数の区分に分割し、各区分毎にパターン線の線幅を補正する補正量とレジスト溶解量との関係を求め、各区分において最も適切な補正が得られるようにしたものが望ましい。
【０１４９】
さらに、前述の実施形態と同様に、露光量を変化させるとそれに伴ってどの程度形成パターンのパターン線の線幅が変わるかを露光装置１４ａに記憶しておき、露光制御部１４４に伝達する露光量を補正して形成パターンのパターン線が仕上がる線幅を調整してもよい。この関係も装置に依存してローカリティが発生するため、複数の区分に分けて記憶しておいたものが望ましい。
【０１５０】
また、現像装置と露光装置をネットワークで接続し、現像液を交換した場合には露光装置から現像液の交換を受信して、累積したレジストの処理面積をクリアするように構成したものが望ましい。あるいは、必要に応じて、露光装置の操作パネルなどから、手入力で現像したレジストの処理面積をクリアするようにしてもよい。
【０１５１】
以上詳細に説明したように、現像するレジストの処理面積から現像液の劣化を検出し、現像後に仕上がるレジストパターンが所望の線幅になるように、現像するレジストの処理面積に応じて露光量や加工用パターンデータの線幅を調整して、最終的にエッチング後に形成される形成パターンを常に均一な仕上がりにすることが可能である。
【０１５２】
次に、第５の実施の形態は、現像処理したレジストの処理面積を現像装置で得て現像液の劣化を検出する場合について説明する。図２２は、第５の実施の形態のパターン製造システム１１ｂの実施の形態を示す図である。前述の実施の形態と同一の構成には同一符号を付して詳細な説明は省略し、相違するものについてのみ説明する。
【０１５３】
本実施の形態のパターン製造システム１１ｂは、露光装置１４ｂ、現像装置１５ｂ、エッチング装置１６を備えている。
【０１５４】
また、本実施の形態の現像装置１５ｂは現像液の劣化を検出する劣化検出手段１５１が設けられる。劣化検出手段１５１は、露光装置１４ｂとネットワーク１８で接続され、検出結果１２００ｂが劣化検出手段１５１から露光装置１４ｂに送信される。
【０１５５】
劣化検出手段１５１は、例えば、現像装置１５ｂを現像する基板の枚数をカウントできるように構成し、１枚当たりのレジストを現像する処理面積と基板の枚数から現像処理したレジストの処理面積を求めて検出結果（差異情報）１２００ｂとする。
【０１５６】
また、露光装置１４ｂは、図２３に示すように、ＣＡＭ１７から入力された加工用パターンデータ１１００を加工に適した形式に変換するデータ変換手段１４１と、劣化検出手段１５１で得られた処理面積を差異情報取得部１４６ａにより取得して加工用パターンデータ１１００を調整する調整手段１４３ａと、加工用パターンデータ１１００に従って露光を行う露光制御手段１４４とを備えている。
【０１５７】
そこで、前述の実施の形態と同様に、現像処理したレジストの処理面積とレジスト溶解量との関係を、実験を行って得られた結果や実際に製造して得られた結果等から求め、求めた関係を予め露光装置１４ｂに記憶しておく。調整手段１４３ａは、前述の実施の形態と同様に、この関係と劣化検出手段１５１から受信した現像処理したレジストの処理面積からレジストの溶解量を求め、さらに、レジストの溶解量から加工用パターンデータ１１００のパターン線の線幅を補正する補正量を求めて、加工用パターンデータ１１００のパターン線の線幅の調整を行う。
【０１５８】
また、前述の実施形態と同様に、基板上を複数の区分に分割し、各区分毎にパターン線の線幅を補正する補正量とレジスト溶解量との関係を求め、各区分において最も適切な補正が得られるようにしたものが望ましい。
【０１５９】
さらに、前述の実施形態と同様に、露光量を変化させるとそれに伴ってどの程度パターン線の線幅が変わるかを露光装置１４ｂに記憶しておいて、露光制御部１４４に伝達する露光量を補正して形成パターンのパターン線の仕上がる線幅を調整してもよい。この関係も装置に依存してローカリティが発生するため、複数の区分に分けて記憶しておくものが望ましい。
【０１６０】
また、前述の実施の形態と同様に現像装置と露光装置をネットワークで接続し、現像液を交換した場合には露光装置から現像液の交換を受信して、レジストの処理面積をクリアするように構成したものが望ましい。あるいは、必要に応じて、露光装置の操作パネルなどから、手入力で現像したレジストの処理面積をクリアするようにしてもよい。
【０１６１】
以上詳細に説明したように、現像するレジストの処理面積から現像液の劣化を検出し、形成パターンが所望の線幅になるように現像するレジストの処理面積に応じて加工用パターンデータの線幅や露光量を調整して、最終的にエッチング後に形成される形成パターンを常に同じ仕上がりにすることが可能である。
【０１６２】
次に、第６の実施の形態は、エッチング液の劣化を検出してエッチング後の形成パターンのパターン線が一定の線幅になるように調整を行う場合について説明する。図２４は、第６の実施の形態のパターン製造システム１１ｃの実施の形態を示す図である。前述の実施の形態と同一の構成には同一符号を付して詳細な説明は省略し、相違するものについてのみ説明する。
【０１６３】
本実施の形態のパターン製造システム１１ｃは、露光装置１４ｃ、現像装置１５ａ、エッチング装置１６ｃを備えている。
【０１６４】
本実施の形態では、エッチング装置１６ｃにエッチング液の劣化を検出する劣化検出手段１６０が設けられる。劣化検出手段１６０は、露光装置１４ｃとネットワーク１８で接続され、検出結果１２００ｃが劣化検出手段１６０から露光装置１４に送信される。
【０１６５】
劣化検出手段１６０として、例えば、エッチング装置１６ｃにエッチング液のＰＨ値を測定する測定装置（測定手段）を設け、エッチング液をサンプリングして測定したＰＨ値を検出結果１２００ｃとして得る。
【０１６６】
また、露光装置１４ｃは、図２５に示すように、ＣＡＭ１７から入力された加工用パターンデータ１１００を加工に適した形式に変換するデータ変換手段１４１と、劣化検出手段１６０で得られたエッチング液のＰＨ値（差異情報）を差異情報取得手段１４６ｃより取得して加工用パターンデータ１１００を調整する調整手段１４３ｃと、加工用パターンデータ１１００に従って露光を行う露光制御手段１４４とを備えている。
【０１６７】
そこで、本実施の形態では、エッチング液のＰＨ値と加工用パターンデータ１１００のパターン線の線幅を補正する補正量との関係を、実験を行って得られた結果や実際に製造して得られた結果等から求め、求めた関係を予め露光装置１４ｃに記憶しておく。調整手段１４３ｃは、この関係とエッチング装置１６ｃの劣化検出手段１６０から受信したエッチング液のＰＨ値とに基づいて加工用パターンデータ１１００で指定されたパターン線の線幅の調整を行う。
【０１６８】
また、エッチング液の循環、シャワー圧、搬送方向、パターン線の疎密などに起因して、エッチング後の形成パターンのパターン線の線幅が基板の場所によって違うというようなローカリティが発生し、補正量とエッチング液のＰＨ値との関係にも、同様のローカリティが発生する。そこで、前述の実施形態と同様に、基板上を複数の区分に分割し、各区分毎に補正量とエッチング液のＰＨ値との関係を求め、各区分において最も適切な補正が得られるようにしたものが望ましい。
【０１６９】
さらに、前述の実施形態と同様に、露光量を変化させるとそれに伴ってどの程度形成パターンのパターン線の線幅が変わるかを露光装置１４ｃに記憶しておき、露光制御部１４４に伝達する露光量を補正してレジストパターンのパターン線の仕上がる線幅を調整してもよい。この関係も装置に依存してローカリティが発生するため、複数の区分に分けて記憶しておくものが望ましい。
【０１７０】
以上詳細に説明したように、エッチング液のＰＨ値からエッチング液の劣化を検出し、エッチング後に仕上がり形成パターンが所望の線幅になるようにエッチング液のＰＨ値に応じて加工用パターンデータの線幅や露光量を調整して、形成パターンを常に同じ仕上がりにすることが可能である。
【０１７１】
また、現像液の劣化あるいはエッチング液の劣化のいずれかを検出して、加工用パターンデータで指定されたパターン線の線幅または露光量の調整を行ったが、現像液の劣化とエッチング液の劣化の両方の劣化を検出して、両方の検出結果から形成パターンの線幅を目標形成パターンの線幅に仕上げるために加工用パターンデータのパターン線の線幅や露光量を調整するための補正量を、実験を行って得られた結果や実際に製造して得られた結果等から求めて記憶しておくようにしてもよい。
【０１７２】
また、基板上の領域を複数の区分に分けて比較する場合について説明したが、場所によるローカリティが大きく現れない場合には、加工用パターンデータにより指定されたパターン線の線幅を調整する補正量と比較結果との関係は全体で１つの関係を記憶し、区分に分けないで加工用パターンデータを調整するようにしてもよい。
【０１７３】
また、前述の実施形態において、エッチング装置６に、ＣＣＤカメラを用いた光学式検査機（ＡＯＩ）などの画像認識装置を設けて、銅箔をエッチングして形成された形成パターンをスキャンした画像情報を得て、形成パターンの仕上がりが確認できるように構成すれば、目視で仕上がり精度を確認することが可能となる。
【０１７４】
以上詳細に説明したように、線幅、即ちパターンの形状に影響を与える要因となる現像液の状態やエッチング液の状態に基づいて、露光量や加工用パターンデータの調整が可能である。
【０１７５】
また、現像やエッチングの回数に基づいて、それぞれ現像液やエッチング液の状態を検出または予想することができる。なお、現像やエッチングの回数と基板サイズとに基づいて、露光量や加工用パターンデータを調整するようにしてもよい。
【０１７６】
また、露光回数に基づいて現像又はエッチング後のパターン形状に生じる誤差を予想し、それに基づいて露光量や加工用パターンデータを調整するようにしてもよい。この場合、露光回数から現像液やエッチング液の状態を予想することもできる。
【０１７７】
また、露光回数に基づく露光量や加工用パターンデータの調整と、パターンの画像情報に基づく調整とを、交互に行ってもよい。例えば、露光回数に基づく調整を所定回数行う毎に、画像情報に基づく調整を行うようにしてもよい。この場合、露光回数に基づく調整と画像情報に基づく調整とを切り替える手段を露光装置に設けてもよい。
【０１７８】
また、前述の各実施の形態では、銅箔をエッチングする場合について説明したが、エッチングの対象は銅箔に限らず、液晶表示装置の反射膜を形成するためのアルミニュウム等の種々の金属や、ＩＴＯ等の金属酸化物や半導体等であってもよい。
【０１７９】
また、本実施の形態では、レジストパターン及び形成パターンの形成の誤差やその要因に基づいて、描画データや露光量を補正しているが、この誤差の要因が、処理開始からの経過時間や、現像液やエッチング液がセットされてからの経過時間であってもよい。また、誤差の要因が、現像液やエッチング液の色や粘度等の液の劣化状態を表す情報であってもよい。
【０１８０】
また、描画データの露光量の補正は、基板に対する露光、現像、及びエッチングのいずれかが所定回数行われる毎に実行されるようにしてもよい。
【０１８１】
また、基板を製造する際に、エッチングを必要としない方法を採用する場合でも、現像後のレジストパターンの誤差及びその要因に基づいて、描画データや露光量を補正することができる。
【０１８２】
また、前述の各実施の形態では、回路パターンについて説明したが、ガラス基板に着色感光材やレジスト材を塗布してカラーフィルターの製造行うカラーフィルター製造装置においても、同様に現像後やエッチング後に形成されたパターンのばらつきがなくなるように調整することが可能である。具体的には、プラズマディスプレイ・液晶ディスプレイ・有機ＥＬディスプレイなどのカラーフィルター製造に対応することが可能である。
【０１８３】
さらに、シリコンウェハーにレジストを塗布して半導体の製造を行う半導体製造装置においても、同様に調整することが可能である。
【０１８４】
以上詳細に説明したように、エッチング液の劣化や現像液の劣化に応じて随時加工用パターンデータを調整することによって、より精度の高い仕上がりを維持することが可能になる。
【図面の簡単な説明】
【０１８５】
【図１】第１の実施の形態のパターン製造システムの構成を説明するための図
【図２】第１の実施の形態の露光装置のブロック図
【図３】レーザ直描装置の図
【図４】パターン製造システムの動作を表すフローチャート
【図５】基板上の領域の分割を説明するための図
【図６】線幅の比較を説明するための図
【図７】目標とする線幅と実際に形成された線幅との差分と、その補正量との関係を表す図
【図８】線幅を比較する方法を説明するための図
【図９】線幅の補正量と補正露光量との関係を表す図
【図１０】第２の実施の形態のパターン製造システムの構成を説明するための図
【図１１】第２の実施の形態の露光装置のブロック図
【図１２】第３の実施の形態のパターン製造システムの構成を説明するための図
【図１３】中和滴定曲線の一例
【図１４】第３の実施の形態の露光装置のブロック図
【図１５】パターン製造システムの作用を説明するためのフローチャート
【図１６】レジスト溶解量と加工用パターンデータのパターン線の補正量との関係を表す図
【図１７】区分の分割を説明するための図
【図１８】線幅の補正量と露光の補正量との関係を表す図
【図１９】第４の実施の形態のパターン製造システムの構成を説明するための図
【図２０】第４の実施の形態のブロック図
【図２１】現像処理したレジストの面積とレジスト溶解量との関係を表す図
【図２２】第５の実施の形態のパターン製造システムの構成を説明するための図
【図２３】第５の実施の形態の露光装置のブロック図
【図２４】第６の実施の形態のパターン製造システムの構成を説明するための図
【図２５】第６の実施の形態の露光装置のブロック図
【符号の説明】
【０１８６】
Ａ                        銅箔貼着工程
Ｂ                        整面工程
Ｃ                        ラミネーション工程
１、１ａ                  パターン製造システム
４、４ａ                  露光装置
５、５ａ                  現像装置
６、６ａ                  エッチング装置
７                        ＣＡＭ
８                        ネットワーク
１１、１１ａ              パターン製造システム
１４、１４ａ、１４ｂ、１４ｃ  露光装置
１５、１５ａ、１５ｂ        現像装置
１６、１６ｃ                エッチング装置
１７                        ＣＡＭ
１８                        ネットワーク
４１                        データ変換手段
４２、４２ａ                線幅比較手段
４３、４３ａ                調整手段
４４                        露光制御手段
４５                        補正部
５０、６０                  画像認識装置
１４０                      レーザ直描装置
１４１                      データ変換手段
１４３、１４３ａ、１４３ｃ  調整手段
１４４                      露光制御手段
１４５                      補正部
１４２、１５０、１５１、１６０  劣化検出手段
１００                      加工用パターンデータ
２００、２００ａ            画像情報
２０１                      目標形成パターン
２０２、２０２ａ            比較結果
２０３                      目標レジストパターン
１２００、１２００ａ、１２００ｂ、１２００ｃ  検出結果
１１００                    加工用パターンデータ
【図１】
2005099739.tif 000003
【図２】
2005099739.tif 000004
【図３】
2005099739.tif 000005
【図４】
2005099739.tif 000006
【図５】
2005099739.tif 000007
【図６】
2005099739.tif 000008
【図７】
2005099739.tif 000009
【図８】
2005099739.tif 000010
【図９】
2005099739.tif 000011
【図１０】
2005099739.tif 000012
【図１１】
2005099739.tif 000013
【図１２】
2005099739.tif 000014
【図１３】
2005099739.tif 000015
【図１４】
2005099739.tif 000016
【図１５】
2005099739.tif 000017
【図１６】
2005099739.tif 000018
【図１７】
2005099739.tif 000019
【図１８】
2005099739.tif 000020
【図１９】
2005099739.tif 000021
【図２０】
2005099739.tif 000022
【図２１】
2005099739.tif 000023
【図２２】
2005099739.tif 000024
【図２３】
2005099739.tif 000025
【図２４】
2005099739.tif 000026
【図２５】
2005099739.tif 000027